【手続補正書】
【提出日】平成25年2月6日(2013.2.6)
【手続補正１】
【補正対象書類名】明細書
【補正対象項目名】０００８
【補正方法】変更
【補正の内容】
【０００８】
すなわち、本発明は、
（１）（Ａ）ポリ乳酸からなる脂肪族ポリエステルと（Ｂ）多層構造重合体とを、（Ａ）／（Ｂ）の重量比が、９９／１〜５０／５０となるように含有する脂肪族ポリエステル樹脂組成物であって、前記（Ａ）ポリ乳酸からなる脂肪族ポリエステルが以下のいずれか一つ以上を満たすことを特徴とする脂肪族ポリエステル樹脂組成物。
(1)総乳酸成分の内、Ｌ体が８０％以上含まれるかあるいはＤ体が８０％以上含まれること
(2)重量平均分子量が１万以上
(3)融点が９０℃以上
（２）（Ａ）ポリ乳酸からなる脂肪族ポリエステルと（Ｂ）多層構造重合体とを、（Ａ）／（Ｂ）の重量比が、９９／１〜５０／５０となるように含有する脂肪族ポリエステル樹脂組成物であって、前記（Ｂ）多層構造重合体が、グリシジル基含有ビニル系単位または不飽和ジカルボン酸無水物系単位から選ばれる少なくとも１種以上の単位を含有する重合体により構成されることを特徴とする脂肪族ポリエステル樹脂組成物。
（３）（Ａ）ポリ乳酸からなる脂肪族ポリエステルと（Ｂ）多層構造重合体とを、Ａ）／（Ｂ）の重量比が、９９／１〜５０／５０となるように含有する脂肪族ポリエステル樹脂組成物であって、前記（Ｂ）多層構造重合体が内部に少なくとも１層以上のゴム層を有し、ゴム層がアクリル成分またはシリコーン／アクリル成分のいずれかであることを特徴とする脂肪族ポリエステル樹脂組成物。
（４）（Ａ）ポリ乳酸からなる脂肪族ポリエステルと（Ｂ）多層構造重合体とを、（Ａ）／（Ｂ）の重量比が、９９／１〜５０／５０となるように含有する脂肪族ポリエステル樹脂組成物であって、前記（Ｂ）多層構造重合体が、ゴム層であるコア層とそれを覆う１以上のシェル層から構成され、また隣接し合った層が異種の重合体から構成されるものであることを特徴とし、さらに、タルク、カオリナイト、モンモリロナイトおよび合成マイカから選択される無機系結晶核剤を（Ａ）脂肪族ポリエステル樹脂１００重量部に対し０．１〜３０重量部および／または有機カルボン酸金属塩およびカルボン酸アミドから選択される有機系結晶核剤を（Ａ）脂肪族ポリエステル樹脂１００重量部に対し０．１〜５重量部含有し、ポリエステル系可塑剤、グリセリン系可塑剤、多価カルボン酸エステル系可塑剤、ポリアルキレングリコール系可塑剤およびエポキシ系可塑剤から選択される１種以上の可塑剤を、（Ａ）脂肪族ポリエステル樹脂１００重量部に対し０．５〜１０重量部含有することを特徴とする脂肪族ポリエステル樹脂組成物。
（５）（Ｂ）多層構造重合体の内部に少なくとも１層以上のゴム層を有することを特徴とする（１）または（２）に記載の脂肪族ポリエステル樹脂組成物。
（６）（Ｂ）多層構造重合体が、ゴム層であるコア層とそれを覆う１以上のシェル層から構成され、また隣接し合った層が異種の重合体から構成されるものであり、ゴム層が、ブタジエン／スチレン成分、アクリル成分、シリコーン／アクリル成分を共重合した成分から選ばれる少なくとも１種を有することを特徴とする（１）、（２）、（４）または（５）に記載の脂肪族ポリエステル樹脂組成物。
（７）（Ｂ）多層構造重合体の最外層が、不飽和カルボン酸アルキルエステル系単位を含有する重合体により構成されることを特徴とする（１）〜（６）のいずれか１項に記載の脂肪族ポリエステル樹脂組成物。
（８）（Ｂ）多層構造重合体の最外層が、（メタ）アクリル酸メチル単位を含有する重合体により構成されることを特徴とする（１）〜（７）のいずれか１項に記載の脂肪族ポリエステル樹脂組成物。
（９）（Ｂ）多層構造重合体が、グリシジル基含有ビニル系単位または不飽和ジカルボン酸無水物系単位から選ばれる少なくとも１種以上の単位を含有する重合体により構成されることを特徴とする（１）、（３）〜（８）のいずれか１項に記載の脂肪族ポリエステル樹脂組成物。
（１０）さらにタルク、カオリナイト、モンモリロナイトおよび合成マイカから選択される無機系結晶核剤を（Ａ）脂肪族ポリエステル樹脂１００重量部に対し０．１〜３０重量部および／または有機カルボン酸金属塩およびカルボン酸アミドから選択される有機系結晶核剤を（Ａ）脂肪族ポリエステル樹脂１００重量部に対し０．１〜５重量部含有することを特徴とする（１）〜（３）または（５）〜（９）のいずれか１項に記載の脂肪族ポリエステル樹脂組成物。
（１１）さらに請求項８記載の無機系結晶核剤以外の充填剤を含有することを特徴とする（１）〜（１０）のいずれか１項に記載の脂肪族ポリエステル樹脂組成物。
（１２）さらにポリエステル系可塑剤、グリセリン系可塑剤、多価カルボン酸エステル系可塑剤、ポリアルキレングリコール系可塑剤およびエポキシ系可塑剤から選択される１種以上の可塑剤を、（Ａ）脂肪族ポリエステル樹脂１００重量部に対し０．５〜１０重量部含有することを特徴とする（１）〜（３）または（５）〜（１１）のいずれか１項に記載の脂肪族ポリエステル樹脂組成物。
（１３）（１０）に記載の結晶核剤および（１２）に記載の可塑剤を併用していることを特徴とする（１）〜（３）のいずれかに記載の脂肪族ポリエステル樹脂組成物。
（１４）（１）〜（１３）のいずれか１項に記載の脂肪族ポリエステル樹脂組成物を成形してなる成形品。
を提供するものである。
【手続補正２】
【補正対象書類名】特許請求の範囲
【補正対象項目名】全文
【補正方法】変更
【補正の内容】
【特許請求の範囲】
【請求項１】
（Ａ）ポリ乳酸からなる脂肪族ポリエステルと（Ｂ）多層構造重合体とを、（Ａ）／（Ｂ）の重量比が、９９／１〜５０／５０となるように含有する脂肪族ポリエステル樹脂組成物であって、前記（Ａ）ポリ乳酸からなる脂肪族ポリエステルが以下のいずれか一つ以上を満たすことを特徴とする脂肪族ポリエステル樹脂組成物。
(1)総乳酸成分の内、Ｌ体が８０％以上含まれるかあるいはＤ体が８０％以上含まれること
(2)重量平均分子量が１万以上
(3)融点が９０℃以上
【請求項２】
（Ａ）ポリ乳酸からなる脂肪族ポリエステルと（Ｂ）多層構造重合体とを、（Ａ）／（Ｂ）の重量比が、９９／１〜５０／５０となるように含有する脂肪族ポリエステル樹脂組成物であって、前記（Ｂ）多層構造重合体が、グリシジル基含有ビニル系単位または不飽和ジカルボン酸無水物系単位から選ばれる少なくとも１種以上の単位を含有する重合体により構成されることを特徴とする脂肪族ポリエステル樹脂組成物。
【請求項３】
（Ａ）ポリ乳酸からなる脂肪族ポリエステルと（Ｂ）多層構造重合体とを、Ａ）／（Ｂ）の重量比が、９９／１〜５０／５０となるように含有する脂肪族ポリエステル樹脂組成物であって、前記（Ｂ）多層構造重合体が内部に少なくとも１層以上のゴム層を有し、ゴム層がアクリル成分またはシリコーン／アクリル成分のいずれかであることを特徴とする脂肪族ポリエステル樹脂組成物。
【請求項４】
（Ａ）ポリ乳酸からなる脂肪族ポリエステルと（Ｂ）多層構造重合体とを、（Ａ）／（Ｂ）の重量比が、９９／１〜５０／５０となるように含有する脂肪族ポリエステル樹脂組成物であって、前記（Ｂ）多層構造重合体が、ゴム層であるコア層とそれを覆う１以上のシェル層から構成され、また隣接し合った層が異種の重合体から構成されるものであることを特徴とし、さらに、タルク、カオリナイト、モンモリロナイトおよび合成マイカから選択される無機系結晶核剤を（Ａ）脂肪族ポリエステル樹脂１００重量部に対し０．１〜３０重量部および／または有機カルボン酸金属塩およびカルボン酸アミドから選択される有機系結晶核剤を（Ａ）脂肪族ポリエステル樹脂１００重量部に対し０．１〜５重量部含有し、ポリエステル系可塑剤、グリセリン系可塑剤、多価カルボン酸エステル系可塑剤、ポリアルキレングリコール系可塑剤およびエポキシ系可塑剤から選択される１種以上の可塑剤を、（Ａ）脂肪族ポリエステル樹脂１００重量部に対し０．５〜１０重量部含有することを特徴とする脂肪族ポリエステル樹脂組成物。
【請求項５】
（Ｂ）多層構造重合体の内部に少なくとも１層以上のゴム層を有することを特徴とする請求項１または２に記載の脂肪族ポリエステル樹脂組成物。
【請求項６】
（Ｂ）多層構造重合体が、ゴム層であるコア層とそれを覆う１以上のシェル層から構成され、また隣接し合った層が異種の重合体から構成されるものであり、ゴム層が、ブタジエン／スチレン成分、アクリル成分、シリコーン／アクリル成分を共重合した成分から選ばれる少なくとも１種を有することを特徴とする請求項１、２、４または５に記載の脂肪族ポリエステル樹脂組成物。
【請求項７】
（Ｂ）多層構造重合体の最外層が、不飽和カルボン酸アルキルエステル系単位を含有する重合体により構成されることを特徴とする請求項１〜６のいずれか１項に記載の脂肪族ポリエステル樹脂組成物。
【請求項８】
（Ｂ）多層構造重合体の最外層が、（メタ）アクリル酸メチル単位を含有する重合体により構成されることを特徴とする請求項１〜７のいずれか１項に記載の脂肪族ポリエステル樹脂組成物。
【請求項９】
（Ｂ）多層構造重合体が、グリシジル基含有ビニル系単位または不飽和ジカルボン酸無水物系単位から選ばれる少なくとも１種以上の単位を含有する重合体により構成されることを特徴とする請求項１、３〜８のいずれか１項に記載の脂肪族ポリエステル樹脂組成物。
【請求項１０】
さらにタルク、カオリナイト、モンモリロナイトおよび合成マイカから選択される無機系結晶核剤を（Ａ）脂肪族ポリエステル樹脂１００重量部に対し０．１〜３０重量部および／または有機カルボン酸金属塩およびカルボン酸アミドから選択される有機系結晶核剤を（Ａ）脂肪族ポリエステル樹脂１００重量部に対し０．１〜５重量部含有することを特徴とする請求項１〜３または５〜９のいずれか１項に記載の脂肪族ポリエステル樹脂組成物。
【請求項１１】
さらに請求項８記載の無機系結晶核剤以外の充填剤を含有することを特徴とする請求項１〜１０のいずれか１項に記載の脂肪族ポリエステル樹脂組成物。
【請求項１２】
さらにポリエステル系可塑剤、グリセリン系可塑剤、多価カルボン酸エステル系可塑剤、ポリアルキレングリコール系可塑剤およびエポキシ系可塑剤から選択される１種以上の可塑剤を、（Ａ）脂肪族ポリエステル樹脂１００重量部に対し０．５〜１０重量部含有することを特徴とする請求項１〜３または５〜１１のいずれか１項に記載の脂肪族ポリエステル樹脂組成物。
【請求項１３】
請求項１０に記載の結晶核剤および請求項１２に記載の可塑剤を併用していることを特徴とする請求項１〜３のいずれかに記載の脂肪族ポリエステル樹脂組成物。
【請求項１４】
請求項１〜１３のいずれか１項に記載の脂肪族ポリエステル樹脂組成物を成形してなる成形品。